(57)【要約】【課題】画像スクロール表示装置の現地での組み立て作業に要する時間を少なくし、納期を短縮しかつ生産効率を向上させること。【解決手段】方形枠状に形成され、画像フィルム２５を巻き取って正逆方向にスクロールさせる２つのローラ２３ａ，ｂを有したスクロールユニット１３と、スクロールユニットの外周を囲うように形成され、スクロールユニットがネジにより取り付けられてスクロールユニットの機械的強度を増大させる、方形枠状の補強フレーム１４と、補強フレームの外周を囲うように形成され、補強フレームがネジにより取り付けられるとともに、画像フィルムに描かれた画像を背面から照明して表示するための照明装置が設けられた本体フレームとを有してなる。【選択図】      図２
2008268718.tif 000002
【特許請求の範囲】
【請求項１】
方形枠状に形成され、画像フィルムを巻き取って正逆方向にスクロールさせる２つのローラを有したスクロールユニットと、
前記スクロールユニットの外周を囲うように形成され、前記スクロールユニットがネジにより取り付けられて前記スクロールユニットの機械的強度を増大させる、方形枠状の補強フレームと、
前記補強フレームの外周を囲うように形成され、前記補強フレームがネジにより取り付けられるとともに、前記画像フィルムに描かれた画像を背面から照明して表示するための照明装置が設けられた本体フレームと、
を有してなることを特徴とする画像スクロール表示装置。
【請求項２】
前記スクロールユニットは、
互いに平行に配置された２つの縦枠材と、前記２つの縦枠材のそれぞれの端部から中央部に寄った位置においてそれらの間に取り付けられた２つの横枠材と、を有し、
前記２つのローラが、前記２つの縦枠材のそれぞれの端部の間に回転可能にかけわたされて構成されている、
請求項１記載の画像スクロール表示装置。
【請求項３】
前記補強フレームは、４つの枠部材が方形枠状に互いに連結されて構成され、
前記本体フレームは、２組の４つの枠部材で方形枠状に形成された２つのフレーム部材が互いに平行に配置され、それらの間が連結部材によって連結されることにより構成されている、
請求項１または２記載の画像スクロール表示装置。
【請求項４】
互いに平行に配置される２つの縦枠材、前記２つの縦枠材のそれぞれの端部から中央部に寄った位置においてそれらの間に配置される２つの横枠材、および、前記２つの縦枠材のそれぞれの端部の間に回転可能に配置される２つのローラを用いて、方形枠状に形成されたスクロールユニットを組み立てる工程と、
前記スクロールユニットを、方形枠状の補強フレームの内側に配置して当該補強フレームにネジで取り付け、これによって補強スクロールユニットを組み立てる工程と、
前記補強スクロールユニットを現地へ搬送する工程と、
現地において、搬送されてきた前記補強スクロールユニットを、本体フレームの内部にネジによって取り付ける工程と、
を有することを特徴とする画像スクロール表示装置の組み立て方法。
【発明の詳細な説明】
【技術分野】
【０００１】
本発明は、広告塔、広告看板、案内板、装飾写真板、または表示板なとして用いられる画像スクロール表示装置およびその組み立て方法に関する。
【背景技術】
【０００２】
従来より、フィルムに背面から光を照射し、フィルムに描かれた画像を透過光によって表示する表示装置が普及しており、例えば、駅やショッピングセンターの通路、またはビルの壁面などに数多く設置されている。
【０００３】
そのような表示装置において、広告の効果を高めるために、ローラによってフィルムの両端部を互いに逆方向に巻き取って画像をスクロールさせるように構成された画像スクロール表示装置がしばしば用いられる（特許文献１〜３）。
【０００４】
つまり、特許文献３で提案された画像スクロール表示装置１ｊにおいては、図１０および図１１に示すように、本体フレーム１１０、第一のローラ１１１、第二のローラ１１２、ガイド部材１１３，１１４、フィルム１１５、照明装置１１６、および制御装置１１７などから構成される。
【０００５】
本体フレーム１１０は、軽量型鋼からなる横枠材１３１ａ，１３１ｂおよび縦枠材１３１ｃ，１３１ｄなどによって方形の筐状に構成されている。前面（図１０における正面）には、横枠材１３１ａ，１３１ｂおよび縦枠材１３１ｃ，１３１ｄに沿って化粧枠板１３２が取り付けられる。前面以外の各面には、カバーとして薄板材が取り付けられる。
【０００６】
第一のローラ１１１は、上辺を構成する横枠材１３１ａの近辺において、横枠材１３１ａと平行に設けられている。第一のローラ１１１は、右端に設けられた第１の駆動装置１３３ａによって回転駆動される。駆動装置１３３ａは、電動式のモータ、ギヤなどを有し、適当なタイミングで正逆のいずれか適当な方向に回転するように制御装置１１７によって制御される。
【０００７】
このように、従来の画像スクロール表示装置１ｊでは、方形枠状の本体フレーム１１０の内部に、ローラ１１１，１１２や照明装置１１６などが直接に取り付けられて構成される。本体フレーム１１０を現地の建築物の壁面や壁面に設けられた凹部に取り付けることによって、画像スクロール表示装置１ｊが設置される。
【特許文献１】特開２００３−１１４６２８
【特許文献２】特開２００４−１９８８１３
【特許文献３】特開２００４−２１９７１３
【発明の開示】
【発明が解決しようとする課題】
【０００８】
通常、このような画像スクロール表示装置は、既に存在する建築物に対して設置される。したがって、従来の画像スクロール表示装置１ｊを設置するに際しては、本体フレーム１１０を現地の建築物の構造や形状に合わせる必要がある。そのため、画像スクロール表示装置１ｊを構成する部品を現地へ搬送し、現地で取り付けた本体フレーム１１０にローラなどの部品を組み付けていくことによって、画像スクロール表示装置１ｊを組み立てることとなる。このように、画像スクロール表示装置１ｊは現地で組み立てる必要があり、現地での作業時間が長くなって納期として多くの日数を要していた。
【０００９】
他方、２つのローラを枠材に組み付けることによってスクロールユニットを構成し、このスクロールユニットを、照明装置などが取り付けられた本体フレーム１１０に組み付けることが行われている。しかしその場合に、画像スクロール表示装置の全体の機械的強度は本体フレーム１１０によって維持される構造であるので、スクロールユニットは、一応の機能ユニットとして構成されるものの、それのみでは強度は維持されない。したがって、この場合でも、スクロールユニットを現地で組み立てるか、または予め工場で組み立てた場合には現地へ搬送して組み立てる時点で再調整を行う必要がある。
【００１０】
このように、従来においては、画像スクロール表示装置の現地での組み立て作業に多くの時間を要しており、納期や生産効率の点で課題を残していた。
【００１１】
本発明は、上述の問題に鑑みてなされたもので、画像スクロール表示装置の現地での組み立て作業に要する時間を少なくし、納期を短縮しかつ生産効率を向上させることを目的とする。
【課題を解決するための手段】
【００１２】
本発明の実施形態に係る画像スクロール表示装置は、方形枠状に形成され、画像フィルムを巻き取って正逆方向にスクロールさせる２つのローラを有したスクロールユニットと、前記スクロールユニットの外周を囲うように形成され、前記スクロールユニットがネジにより取り付けられて前記スクロールユニットの機械的強度を増大させる、方形枠状の補強フレームと、前記補強フレームの外周を囲うように形成され、前記補強フレームがネジにより取り付けられるとともに、前記画像フィルムに描かれた画像を背面から照明して表示するための照明装置が設けられた本体フレームとを有してなる。
【００１３】
好ましくは、前記スクロールユニットは、互いに平行に配置された２つの縦枠材と、前記２つの縦枠材のそれぞれの端部から中央部に寄った位置においてそれらの間に取り付けられた２つの横枠材と、を有し、前記２つのローラが、前記２つの縦枠材のそれぞれの端部の間に回転可能にかけわたされて構成される。
【発明の効果】
【００１４】
本発明によると、画像スクロール表示装置の現地での組み立て作業に要する時間を少なくし、納期を短縮しかつ生産効率を向上させることができる。
【発明を実施するための最良の形態】
【００１５】
図１は本発明の一実施形態に係る画像スクロール表示装置１の正面図、図２は画像スクロール表示装置１の内部構造を示す正面図、図３は画像スクロール表示装置１の右側面図、図４は画像スクロール表示装置１の平面図、図５は補強スクロールユニットＳＨの右側面図、図６は図２の一部を拡大して示す図、図７は図４の一部を拡大して示す図、図８は本体フレーム１１と補強スクロールユニットＳＨとの間に調整用のワシャ５１を挿入した状態の図６と同様の図である。
【００１６】
図１において、画像スクロール表示装置１は、方形枠状に形成された本体フレーム１１の内部にスクロールユニット１３が取り付けられ、スクロールユニット１３の前面周囲を覆うように化粧枠板１２が本体フレーム１１に取り付けられている。
【００１７】
スクロールユニット１３には、画像フィルム２５がスクロールするように設けられており、化粧枠板１２の枠内に位置する画像フィルム２５の画像ＧＦ１が表示されるようになっている。
【００１８】
すなわち、図１ないし図７に示すように、画像スクロール表示装置１は、本体フレーム１１、化粧枠板１２、スクロールユニット１３、および補強フレーム１４などからなっている。
【００１９】
スクロールユニット１３は、互いに平行に配置された２つの縦枠材２１ａ，ｂ、２つの縦枠材２１ａ，ｂのそれぞれの端部から中央部に寄った位置においてそれらの間に取り付けられた２つの横枠材２２ａ，ｂ、２つの縦枠材２１ａ，ｂのそれぞれの端部の間に回転可能にかけわたされた２つのローラ２３ａ，ｂを有する。
【００２０】
縦枠材２１ａ，ｂおよび横枠材２２ａ，ｂは、アルミニウム合金や鋼鉄などの金属材料からなり、ネジ（ボルト）やナットなどによって互いに連結されている。これによって機械的な形状が一応保持されるが、そのままでは強度的には弱く、外力が加わった場合や運搬した場合には形状が歪んだり変形したりする。そこで、後で述べるように、縦枠材２１ａ，ｂを補強フレーム１４の内側に配置してネジで連結することにより、スクロールユニット１３を補強する。
【００２１】
ローラ２２ａ，ｂは、それぞれ、モータＭ１ａ，ｂによって回転駆動され、画像フィルム２５を巻き取って正逆方向にスクロールさせる。ローラ２２ａとモータＭ１ａ、およびローラ２２ｂとモータＭ１ｂは、それぞれ一体化されたローラユニットとなっており、ローラユニットが縦枠材２１ａ，ｂにネジなどで取り付けられる。
【００２２】
縦枠材２１ｂの長さ方向の中央部に、画像フィルム２５の一方の縁辺部を検出してモータＭ１ａ，ｂを駆動制御するための制御装置２４が設けられている。制御装置２４は、モータＭ１ａ，ｂを駆動して画像フィルム２５を正方向または逆方向にスクロールさせるとともに、画像フィルム２５の各画像ＧＦの位置を検出して各画像ＧＦが化粧枠板１２内に表示されるように位置決めする。制御装置２４の動作の詳細については、上に述べた特許文献１〜３を参照することができる。
【００２３】
補強フレーム１４は、スクロールユニット１３の外周を囲うように方形枠状に形成され、スクロールユニット１３が複数のネジ３３およびナット３４により取り付けられ、これによりスクロールユニット１３の機械的強度を増大させるものである。
【００２４】
すなわち、補強フレーム１４は、鋼鉄製の角パイプからなる２つの縦枠材３１ａ，ｂおよび２つの横枠材３２ａ，ｂが、方形枠状に溶接などにより互いに連結されて構成される。角パイプとして、例えば、断面の外形が１２×２５ｍｍのもの、１５×２５ｍｍのもの、２０×３０ｍｍのものなど、スクロールユニット１３のサイズに応じて種々のサイズのものが用いられる。
【００２５】
補強フレーム１４の２つの縦枠材３１ａ，ｂの内側の表面間の距離は、スクロールユニット１３の縦枠材２１ａ，ｂの外側の表面間の距離と等しく、これらの表面が互いに接触する状態である。この状態で、縦枠材３１ａ，ｂおよび縦枠材２１ａ，ｂを貫通するように設けられた複数の穴に、それぞれネジ３３が挿通され、ナット３４によって締め付けられて固定されている。なお、本実施形態では、ネジ３３として皿ネジが用いられ、縦枠材３１ａ，ｂの穴の外周側に皿ザグリが設けられて、ネジ３３が補強フレーム１４の外周から突出しないようになっている。
【００２６】
なお、ネジ３３として、丸頭ネジ、六角穴付きネジなど、種々のものを用いることも可能である。また、ナット３４を用いることなく、相手方の側にタップを設けてネジ込んでもよい。ネジ３３を縦枠材２１ａ，ｂの側から挿入するようにしてもよい。
【００２７】
いずれにしても、スクロールユニット１３を補強フレーム１４にネジで取り付けることにより、これらが一体となった補強スクロールユニットＳＨが構成される。この補強スクロールユニットＳＨは、スクロールユニット１３単体の場合と比較して、強度および剛性が向上し、少々の外力が加わっても形状が歪んだり変形しない。また、補強スクロールユニットＳＨは、通常の運搬によっては形状が大きく歪んだり変形しない。
【００２８】
本体フレーム１１は、補強フレーム１４の外周を囲うように形成され、補強フレーム１４がネジ４４などにより取り付けられる。ネジ４４は複数箇所において設けられている。例えば、４箇所、６箇所、８箇所…などである。
【００２９】
つまり、本体フレーム１１は、２組の４つの枠部材４１ａ〜ｄ、４２ａ〜ｄからなる方形枠状のフレーム部材４１、４２、および、これらフレーム部材４１、４２を互いに連結する複数の連結部材４３，４３，４３…によって、直方体枠状に構成される。２つのフレーム部材４１、４２は、互いに平行に配置され、それらの間が連結部材４３，４３，４３…によって連結されて固定されているのである。
【００３０】
枠部材４１ａ〜ｄ、４２ａ〜ｄは、鋼鉄製の角パイプからなり、それらが互いに溶接によって連結されて方形枠状に形成されている。連結部材４３も鋼鉄製の角パイプからなり、溶接によって連結されている。
【００３１】
角パイプとして、例えば、断面の外形が１２×２５ｍｍのもの、２５×２５ｍｍのもの、２０×３０ｍｍのものなど、スクロールユニット１３のサイズに応じて種々のサイズのものが用いられる。なお、例えば、枠部材４１ａ〜ｄ、４２ａ〜ｄには２５×２５ｍｍのものを用い、連結部材４３には１２×２５ｍｍのものを用いてもよい。
【００３２】
連結部材４３にはネジ穴が設けてあり、そのネジ穴に対応する補強フレーム１４の位置に貫通穴が設けられている。このようなネジ穴および貫通穴の組みが複数設けられている。それぞれの貫通穴にネジ４４を挿入しネジ穴にネジ込んで締めつける。これによって、補強フレーム１４が本体フレーム１１に固定されている。
【００３３】
なお、ネジ４４として、皿ネジ、丸頭ネジ、六角穴付きネジなど、種々のものを用いることが可能である。また、ナットを用いてもよい。ネジ４４を連結部材４３の側から挿入するようにしてもよい。
【００３４】
本体フレーム１１には、照明装置４７が取り付けられる。照明装置４７は、例えば直管型の複数の蛍光灯であり、画像フィルム２５に描かれた画像ＧＦを背面から照明して表示する。なお、本体フレーム１１は、建物の適当な床面に設置され、または壁面などに取り付けられる。
【００３５】
次に、画像スクロール表示装置１の組み立て方法について説明する。
【００３６】
図９は画像スクロール表示装置１の組み立ての手順を示すフローチャートである。
【００３７】
図９において、スクロールユニット１３を組み立てる（＃１１）。スクロールユニット１３を補強フレーム１４に取り付ける（＃１２）。画像フィルム２５が正常にスクロールするように調整する（＃１３）。調整済みの補強スクロールユニットＳＨを現地へ搬送する（＃１４）。現地において、本体フレーム１１の内部に補強スクロールユニットＳＨを取り付ける（＃１５）。完成した画像スクロール表示装置１に電源などを供給して運転する（＃１６）。
【００３８】
このように構成された画像スクロール表示装置１は、制御装置２４の制御によって、モータＭ１ａ，ｂが駆動され、ローラ２３ａ，ｂの回転によって画像フィルム２５が上方向または下方向にスクロールされる。これによって、画像フィルム２５に描かれたそれぞれの画像ＧＦが、一定時間ずつ表示される。
【００３９】
画像フィルム２５は極めて薄いので、ローラ２３ａ，ｂの回転軸が偏心していると正常に巻き取られなくなり、捩れてしまう。そのため、ローラ２３ａ，ｂの回転軸が正確に平行になっている必要がある。
【００４０】
すなわち、ローラ２３ａ，ｂの平行度が悪い場合には、画像フィルム２５を巻き取るにしたがって画像フィルム２５がローラ２３ａ，ｂの軸方向に沿って移動してずれてしまう。画像フィルム２５に６画面分の画像が描かれているとすると、１画像が例えば高さ（長さ）２メ−トルである場合に、全長は１２メ−トルとなる。仮に、１メ−トルを巻き取るのに１ミリメートルのずれ（誤差）が生じた場合には全長で１２ミリメートルのずれが生じることととなる。そうすると、画像フィルム２５はローラ２３ａ，ｂに巻き取られるときに捩れてしまうとともに、ローラ２３ａ，ｂの走行の制御を行うために画像フィルム２５の端縁部を検出しているセンサＳＥ１（図２参照）から画像フィルム２５が外れてしまって検出できなくなり、走行の制御が不可能になってしまう。
【００４１】
したがって、ローラ２３ａ，ｂの平行度の精度を維持するために、補強フレーム１４によってスクロールユニットＳＵを補強し、その強度および剛性を高くしておく必要があるのである。補強スクロールユニットＳＨにおいて、画像フィルム２５が正常にスクロールされるように調整しておき、調整済みの補強スクロールユニットＳＨを現地へ搬送し、これを本体フレーム１１に取り付けることによって、画像スクロール表示装置１の組み立て作業が簡単となり、しかもローラ２３ａ，ｂの平行度が高精度に維持されるのである。
【００４２】
また、画像スクロール表示装置１の設置場所によっては、電車や自動車による振動が伝わってきたり、また地震などによって、本体フレーム１１に歪みが生じることがある。本体フレーム１１に歪みが生じた場合であっても、本体フレーム１１と補強スクロールユニットＳＨとが別体で独立しているので、補強スクロールユニットＳＨを一旦取り外し、補強スクロールユニットＳＨの本体フレーム１１に対する取り付け位置を変更したり、補強スクロールユニットＳＨと本体フレーム１１との間に調整用のシムまたはワシャ、またはクッション用のゴム部材などを挿入することにより、本体フレーム１１の補修を行うことなく、補強スクロールユニットＳＨの歪みをなくして正常なスクロールが行われるように再調整することができる。
【００４３】
すなわち、図８に示すように、補強フレーム１４と本体フレーム１１とをそれぞれネジ４４で固定する際に、補強フレーム１４と本体フレーム１１との間に適当な厚さ寸法のワシャ５１を挿入し、本体フレーム１１の歪みが補強スクロールユニットＳＨに及ばないようにする。適当な厚さの１枚のワシャ５１に代えて、複数枚のワシャまたはシムを用いてもよく、また、弾性変形可能なゴム部材を用いてもよい。ゴム部材を用いると、寸法誤差を吸収できるとともに、外部の振動がスクロールユニットＳＵに伝わり難くなって好都合である。なお、ワシャ５１などを挿入するために、本体フレーム１１の内周面の大きさを補強スクロールユニットＳＨの外周面よりも予め大きくしておけばよい。
【００４４】
本実施形態の画像スクロール表示装置１では、スクロールユニット１３が補強フレーム１４により補強され、補強スクロールユニットＳＨとなっているので、ローラ２３ａ，ｂの回転軸が正確に平行になるように一度位置調整すると、運搬してもその位置がずれることがなく、本体フレーム１１に組み込んだときにもローラ２３ａ，ｂの回転軸の平行度が保たれる。
【００４５】
したがって、スクロールユニット１３を工場で組み立てて調整し、補強スクロールユニットＳＨとしておくことにより、補強スクロールユニットＳＨを本体フレーム１１のある現地に搬送し、現地で本体フレーム１１に補強スクロールユニットＳＨを取り付けることによって、短時間で画像スクロール表示装置１を作成することができる。
【００４６】
このように、本実施形態の画像スクロール表示装置１によると、従来のようにスクロールユニット１３を現地へ搬送した後でローラ２３ａ，ｂの回転軸の平行度を再調整したりスクロールユニット１３を現地で組み立てたりしなくてもよいので、画像スクロール表示装置１の現地での組み立て作業に要する時間が少なくなり、納期を短縮しかつ生産効率を向上させることができる。
【００４７】
上の実施形態においては、スクロールユニット１３を補強フレーム１４にネジ３３によって取り付けたが、他の固定手段を併用してもよい。補強スクロールユニットＳＨを本体フレーム１１にネジ４４によって取り付けたが、他の固定手段を併用してもよい。また、ネジ３３、４４は、部材間を直接的に固定するものでなくてもよい。例えば、部材が組み手などによって組み立てられ、それらの抜け止めや回転止めのためにネジを用いるものであってもよい。
【００４８】
上の実施形態において、本体フレーム１１、スクロールユニット１３、補強フレーム１４は方形枠状であるが、これは概略の形状であって、少々台形状であったり円弧状であってもよい。また、本体フレーム１１は、直方体枠状でなくてもよく、例えば台形枠状であったり三角枠状であったり、他の形状や面を有していてもよい。
【００４９】
その他、本体フレーム１１、化粧枠板１２、スクロールユニット１３、補強フレーム１４、補強スクロールユニットＳＨ、および画像スクロール表示装置１の全体または各部の構造、形状、寸法、個数、材質、画像の内容などは、本発明の趣旨に沿って適宜変更することができる。
【図面の簡単な説明】
【００５０】
【図１】本発明の一実施形態に係る画像スクロール表示装置の正面図である。
【図２】画像スクロール表示装置の内部構造を示す正面図である。
【図３】画像スクロール表示装置の右側面図である。
【図４】画像スクロール表示装置の平面図である。
【図５】補強スクロールユニットの右側面図である。
【図６】図２の一部を拡大して示す図である。
【図７】図４の一部を拡大して示す図である。
【図８】調整用のワシャを挿入した状態の図６と同様の図である。
【図９】画像スクロール表示装置の組み立ての手順を示すフローチャートである。
【図１０】従来の画像スクロール表示装置の内部構造を示す正面図である。
【図１１】従来の画像スクロール表示装置の内部構造を示す側面図である。
【符号の説明】
【００５１】
１  画像スクロール表示装置
１１  本体フレーム
１２  化粧枠板
１３  スクロールユニット
１４  補強フレーム
２１ａ，ｂ  縦枠材
２２ａ，ｂ  横枠材
２３ａ，ｂ  ローラ
３３  ネジ
４１  フレーム部材
４１ａ〜ｄ  枠部材
４２ａ〜ｄ  枠部材
４３  連結部材
４４  ネジ
４７  照明装置
ＳＨ  補強スクロールユニット
ＧＦ  画像
【図１】
2008268718.tif 000003
【図２】
2008268718.tif 000004
【図３】
2008268718.tif 000005
【図４】
2008268718.tif 000006
【図５】
2008268718.tif 000007
【図６】
2008268718.tif 000008
【図７】
2008268718.tif 000009
【図８】
2008268718.tif 000010
【図９】
2008268718.tif 000011
【図１０】
2008268718.tif 000012
【図１１】
2008268718.tif 000013